(57)【要約】【課題】一つの画面を通じて異なる映像をそれぞれ画像サイズを縮小することなく且つちらつきや情報の欠損を抑えて同時に表示し、ユーザの利便性や快適性を高い水準で満たす。【解決手段】所定の垂直同期周波数を持つ第１映像信号および第２映像信号を入力する映像入力手段と、入力した第１映像信号および第２映像信号を所定の画面に交互に表示させる表示制御手段とを備える表示装置と、アクティブシャッタを左右のレンズに備える眼鏡装置とを含む映像表示システムであって、表示制御手段は、上記垂直同期周波数の倍以上の垂直同期周波数によって第１映像信号および第２映像信号を画面に交互に表示させ、眼鏡装置は、第１映像信号の表示タイミングに同期して左右のレンズのアクティブシャッタを開ける第１視聴モードと第２映像信号の表示タイミングに同期して左右のレンズのアクティブシャッタを開ける第２視聴モードとを切換える映像切換手段を備える。【選択図】図１
2010283653.tif 000002
【特許請求の範囲】
【請求項１】
所定の垂直同期周波数を持つ第１映像信号および第２映像信号を入力する映像入力手段と、入力した第１映像信号および第２映像信号を所定の画面に交互に表示させる表示制御手段とを備える表示装置と、
光の透過および遮断を行なうアクティブシャッタを左右のレンズに備える眼鏡装置と、を含む映像表示システムであって、
上記表示制御手段は、上記所定の垂直同期周波数の倍以上の垂直同期周波数によって上記第１映像信号および第２映像信号を画面に交互に表示させ、
上記眼鏡装置は、上記第１映像信号の表示タイミングに同期して左右のレンズのアクティブシャッタを開ける第１視聴モードと第２映像信号の表示タイミングに同期して左右のレンズのアクティブシャッタを開ける第２視聴モードとを切換える映像切換手段を備えることを特徴とする映像表示システム。
【請求項２】
上記眼鏡装置は、当該眼鏡装置が上記表示装置の画面に向いているか否かを所定の基準に従って判定する方向判定手段と、
上記方向判定手段が眼鏡装置は上記画面に向いていると判定した場合に、上記映像切換手段による切換えを許容し、上記方向判定手段が眼鏡装置は上記画面に向いていないと判定した場合に、上記映像切換手段による切換えを禁止するとともに上記左右のアクティブシャッタを強制的に開けるシャッタ制御手段とを備えることを特徴とする請求項１に記載の映像表示システム。
【請求項３】
上記表示装置は、画面の前面側から赤外線信号を発信し、上記方向判定手段は、表示装置から発信される赤外線信号を受信するとともに当該受信した赤外線信号の信号強度に応じて、眼鏡装置が表示装置の画面に向いているか否か判定することを特徴とする請求項２に記載の映像表示システム。
【請求項４】
上記表示装置は、上記第１映像信号に対応する音声信号および第２映像信号に対応する音声信号を上記眼鏡装置に送信し、
上記眼鏡装置は、ヘッドホンを備えるとともに、上記第１映像信号に対応する音声信号と第２映像信号に対応する音声信号とのうちいずれか一方を当該ヘッドホンから出力させる音声切換手段を備えることを特徴とする請求項１〜請求項３のいずれかに記載の映像表示システム。
【請求項５】
光の透過および遮断を行なうアクティブシャッタを左右のレンズに備える眼鏡装置であって、
所定の表示装置において画面に交互に表示される第１映像信号および第２映像信号のうち第１映像信号の表示タイミングに同期して左右のレンズのアクティブシャッタを開ける第１視聴モードと、第２映像信号の表示タイミングに同期して左右のレンズのアクティブシャッタを開ける第２視聴モードとを切換える映像切換手段と、
当該眼鏡装置が上記画面に向いているか否かを所定の基準に従って判定する方向判定手段と、
上記方向判定手段が眼鏡装置は上記画面に向いていると判定した場合に、上記映像切換手段による切換えを許容し、上記方向判定手段が眼鏡装置は上記画面に向いていないと判定した場合に、上記映像切換手段による切換えを禁止するとともに上記左右のアクティブシャッタを強制的に開けるシャッタ制御手段とを備えることを特徴とする眼鏡装置。
【請求項６】
所定の垂直同期周波数を持つ第１映像信号および第２映像信号を入力する映像入力手段と、入力した第１映像信号および第２映像信号を所定の画面に交互に表示させる表示制御手段とを備えるテレビジョンと、
光の透過および遮断を行なうアクティブシャッタを左右のレンズに備える眼鏡装置と、を含むテレビジョンシステムであって、
上記表示制御手段は、上記所定の垂直同期周波数の倍の垂直同期周波数によって上記第１映像信号および第２映像信号を画面に交互に表示させ、かつ、上記テレビジョンは、上記第１映像信号および第２映像信号それぞれの表示タイミングと同期を取るための赤外線信号と、所定の方向判定用の赤外線信号とを画面の前面側から発信し、さらに上記第１映像信号に対応する音声信号および第２映像信号に対応する音声信号を有線または無線で上記眼鏡装置に送信し、
上記眼鏡装置は、
上記同期を取るための赤外線信号に基づいて第１映像信号の表示タイミングに同期して左右のレンズのアクティブシャッタを開ける第１視聴モードと、上記同期を取るための赤外線信号に基づいて第２映像信号の表示タイミングに同期して左右のレンズのアクティブシャッタを開ける第２視聴モードとを切換える映像切換手段と、
ヘッドホンと、
上記送信された第１映像信号に対応する音声信号と第２映像信号に対応する音声信号とのうちいずれか一方を上記ヘッドホンから出力させる音声切換手段と、
上記方向判定用の赤外線信号を受信するとともに当該受信した赤外線信号の信号強度に応じて、当該眼鏡装置が上記テレビジョンの画面に向いているか否か判定する方向判定手段と、
上記方向判定手段が眼鏡装置は上記画面に向いていると判定した場合に、上記映像切換手段による切換えを許容し、上記方向判定手段が眼鏡装置は上記画面に向いていないと判定した場合に、上記映像切換手段による切換えを禁止するとともに上記左右のアクティブシャッタを強制的に開けるシャッタ制御手段とを備える、
ことを特徴とするテレビジョンシステム。
【発明の詳細な説明】
【技術分野】
【０００１】
本発明は、映像表示システム、眼鏡装置およびテレビジョンシステムに関する。
【背景技術】
【０００２】
時分割的に２チャンネル分の画像を交互に表示する表示手段、および２チャンネル分の画像のそれぞれに同期して左右のシャッタが同時にオン、オフし、いずれか一方の画像を選択して見ることができる切換手段を有する眼鏡を備えた表示装置が知られている（特許文献１参照。）。
左右のレンズの液晶シャッタを同時に光の通過および遮断させることにより、２つの映像信号のうち片方の映像を両目で見ることができ、同時に、ヘッドホンからは当該選択した映像の音声信号が出力される眼鏡装置が知られている（特許文献２参照。）。
ＮＴＳＣ信号２系統で右目用映像と左目用映像を交互に１２０Ｈｚで表示し、これをユーザが装着した液晶シャッタ眼鏡等で切替えて視聴する映像データ処理が知られている（特許文献３参照。）。
２つの入力系統からそれぞれ入力した映像データをメモリに書き込み、書き込みの際の２倍の速さで各映像データをメモリから読み出して２種類の映像を交互に表示する２映像表示装置が知られている（特許文献４参照。）。
【先行技術文献】
【特許文献】
【０００３】
【特許文献１】特開平１１‐９８５４１号公報
【特許文献２】特開平１０‐２４３４２０号公報
【特許文献３】特開２００３‐２８９５５３号公報
【特許文献４】特開２０００‐５０３１２号公報
【発明の概要】
【発明が解決しようとする課題】
【０００４】
一つの画面で異なる視聴者が異なる映像を見ることができるシステムが望まれている。これまでは、一つの画面を２つの領域に分割したり親画面の中に子画面を確保したりすることで、それぞれの領域で異なる映像を同時に表示していた。しかし、このように表示領域を分ける方式では、それぞれの映像が小サイズ化、低解像度化することになり、ユーザに快適な視聴を提供するものではなかった。また、例えば右目用および左目用の各映像を時分割で交互に表示し、レンズにアクティブシャッタを備えた眼鏡をユーザが装着してこれを鑑賞することで立体映像を視聴させる場合などでは、垂直同期周波数が６０Ｈｚである２種類の映像信号を交互に表示すると、各映像はそれぞれ垂直同期周波数が３０Ｈｚで表示されることになり、情報量の欠損や画面のちらつきが大きかった。
【０００５】
またユーザは、上記眼鏡を装着して映像等を鑑賞する場合、映像が表示される画面を常時鑑賞するのではなく、画面外の場所についても見ることがある（例えば、モニタ画面と実際の展示物の両方が置かれた美術館などで、モニタ内の映像と実際の展示物をそれぞれ鑑賞する場合）。このような場合、画面外を見るときにも上記眼鏡におけるアクティブシャッタが開閉動作をしていると非常に見づらく、煩わしかった。
【０００６】
本発明は上記課題に鑑みてなされたもので、一つの画面を通じて異なる映像をそれぞれ画像サイズを縮小することなく且つちらつきや情報の欠損を抑えて同時に表示することができ、さらにアクティブシャッタをレンズに備えた眼鏡装置を装着して鑑賞するユーザの利便性や快適性を高い水準で満たすことが可能な映像表示システム、眼鏡装置およびテレビジョンシステムを提供することを目的とする。
【課題を解決するための手段】
【０００７】
上記目的を達成するため、本発明は、所定の垂直同期周波数を持つ第１映像信号および第２映像信号を入力する映像入力手段と、入力した第１映像信号および第２映像信号を所定の画面に交互に表示させる表示制御手段とを備える表示装置と、光の透過および遮断を行なうアクティブシャッタを左右のレンズに備える眼鏡装置と、を含む映像表示システムであって、上記表示制御手段は、上記所定の垂直同期周波数の倍以上の垂直同期周波数によって上記第１映像信号および第２映像信号を画面に交互に表示させ、上記眼鏡装置は、上記第１映像信号の表示タイミングに同期して左右のレンズのアクティブシャッタを開ける第１視聴モードと第２映像信号の表示タイミングに同期して左右のレンズのアクティブシャッタを開ける第２視聴モードとを切換える映像切換手段を備える構成としてある。
本発明によれば、一つの画面で異なる映像（第１映像信号および第２映像信号）を画像サイズを縮小することなく且つちらつきや情報の欠損を抑えて同時に表示することができ、また、眼鏡装置を装着した各ユーザは、各々が映像切換手段によって第１視聴モードと第２視聴モードとを切り替えることで、第１映像信号または第２映像信号を両目で見ることができる。
【０００８】
上記眼鏡装置は、当該眼鏡装置が上記表示装置の画面に向いているか否かを所定の基準に従って判定する方向判定手段と、上記方向判定手段が眼鏡装置は上記画面に向いていると判定した場合に、上記映像切換手段による切換えを許容し、上記方向判定手段が眼鏡装置は上記画面に向いていないと判定した場合に、上記映像切換手段による切換えを禁止するとともに上記左右のアクティブシャッタを強制的に開けるシャッタ制御手段とを備えるとしてもよい。当該構成によれば、眼鏡装置を装着したユーザが画面の方を向いているときにはアクティブシャッタが有効に作動して第１映像信号または第２映像信号を視聴することができ、当該ユーザが画面の方を向いていなときにはアクティブシャッタが無効化されユーザの視界が確保されるため、ユーザは非常に快適である。
上記表示装置は、画面の前面側から赤外線信号を発信し、上記方向判定手段は、表示装置から発信される赤外線信号を受信するとともに当該受信した赤外線信号の信号強度に応じて、眼鏡装置が表示装置の画面に向いているか否か判定する。
【０００９】
上記表示装置は、上記第１映像信号に対応する音声信号および第２映像信号に対応する音声信号を上記眼鏡装置に送信し、上記眼鏡装置は、ヘッドホンを備えるとともに、上記第１映像信号に対応する音声信号と第２映像信号に対応する音声信号とのうちいずれか一方を当該ヘッドホンから出力させる音声切換手段を備えるとしてもよい。当該構成によれば、ユーザは音声切換手段を操作することで、第１映像信号または第２映像信号を、その音声付きで鑑賞することができる。
【００１０】
本発明の技術的思想は、映像表示システム以外によっても実現可能である。例えば、当該システムの各構成が実行する処理工程を備える方法の発明や、当該システムの各構成が実行する機能を、これら構成に実現させるコンピュータ読取可能なプログラムの発明をも把握可能である。さらには、当該システムの一部の構成についても、単独で発明として捉えることができる。例えば、光の透過および遮断を行なうアクティブシャッタを左右のレンズに備える眼鏡装置であって、所定の表示装置において画面に交互に表示される第１映像信号および第２映像信号のうち第１映像信号の表示タイミングに同期して左右のレンズのアクティブシャッタを開ける第１視聴モードと、第２映像信号の表示タイミングに同期して左右のレンズのアクティブシャッタを開ける第２視聴モードとを切換える映像切換手段と、当該眼鏡装置が上記画面に向いているか否かを所定の基準に従って判定する方向判定手段と、上記方向判定手段が眼鏡装置は上記画面に向いていると判定した場合に、上記映像切換手段による切換えを許容し、上記方向判定手段が眼鏡装置は上記画面に向いていないと判定した場合に、上記映像切換手段による切換えを禁止するとともに上記左右のアクティブシャッタを強制的に開けるシャッタ制御手段とを備える構成を把握可能である。さらに具体的なシステムの例として、所定の垂直同期周波数を持つ第１映像信号および第２映像信号を入力する映像入力手段と、入力した第１映像信号および第２映像信号を所定の画面に交互に表示させる表示制御手段とを備えるテレビジョンと、光の透過および遮断を行なうアクティブシャッタを左右のレンズに備える眼鏡装置と、を含むテレビジョンシステムであって、上記表示制御手段は、上記所定の垂直同期周波数の倍の垂直同期周波数によって上記第１映像信号および第２映像信号を画面に交互に表示させ、かつ、上記テレビジョンは、上記第１映像信号および第２映像信号それぞれの表示タイミングと同期を取るための赤外線信号と、所定の方向判定用の赤外線信号とを画面の前面側から発信し、さらに上記第１映像信号に対応する音声信号および第２映像信号に対応する音声信号を有線または無線で上記眼鏡装置に送信し、上記眼鏡装置は、上記同期を取るための赤外線信号に基づいて第１映像信号の表示タイミングに同期して左右のレンズのアクティブシャッタを開ける第１視聴モードと、上記同期を取るための赤外線信号に基づいて第２映像信号の表示タイミングに同期して左右のレンズのアクティブシャッタを開ける第２視聴モードとを切換える映像切換手段と、ヘッドホンと、上記送信された第１映像信号に対応する音声信号と第２映像信号に対応する音声信号とのうちいずれか一方を上記ヘッドホンから出力させる音声切換手段と、上記方向判定用の赤外線信号を受信するとともに当該受信した赤外線信号の信号強度に応じて、当該眼鏡装置が上記テレビジョンの画面に向いているか否か判定する方向判定手段と、上記方向判定手段が眼鏡装置は上記画面に向いていると判定した場合に、上記映像切換手段による切換えを許容し、上記方向判定手段が眼鏡装置は上記画面に向いていないと判定した場合に、上記映像切換手段による切換えを禁止するとともに上記左右のアクティブシャッタを強制的に開けるシャッタ制御手段とを備える構成を、一つの発明として把握することができる。
【図面の簡単な説明】
【００１１】
【図１】テレビジョンシステムの概略構成を示したブロック図である。
【図２】眼鏡装置の方向と赤外線信号の信号強度との関係を例示した図である。
【図３】表示パネルと眼鏡装置との相対的な位置関係を例示した図である。
【発明を実施するための形態】
【００１２】
以下、本発明の実施形態を図面を参照しながら説明する。
図１は、本実施形態にかかるテレビジョンシステム（システム）１０の概略構成をブロック図により示している。システム１０は、テレビジョン（ＴＶ）２０と眼鏡装置３０を含んで構成される。ＴＶ２０は、表示装置の一例である。ＴＶ２０は、２つの入力系統を持ち、各入力系統から入力した２種類の映像をフィールドシーケンシャル方式によって交互に画面に表示することが可能である。眼鏡装置３０は、ＴＶ２０を視聴するユーザが装着するための眼鏡であり、左右のレンズそれぞれにアクティブシャッタ（右目用液晶シャッタおよび左目用液晶シャッタ）が設けられている。
【００１３】
ＴＶ２０は、２つのデコーダ２１，２２を備える。デコーダ２１には、第１の放送信号（例えば、あるチャンネルにかかる放送信号）が入力され、デコーダ２２には、第２の放送信号（第１の放送信号とは異なるチャンネルにかかる放送信号）が入力される。デコーダ２１，２２では、それぞれに入力された放送信号から映像信号（ＲＧＢ信号）および音声信号が復号化（デコード）されて抽出される。これら映像信号の垂直同期周波数は、例えば、６０Ｈｚ（６０フィールド／秒）である。デコーダ２１で抽出された映像信号（第１映像信号）およびデコーダ２２で抽出された映像信号（第２映像信号）は、信号処理回路２３に入力される。信号処理回路２３は、各映像信号に対して所要のスケーリング処理、色補正処理、エッジ強調処理などを適宜実行可能である。また、信号処理回路２３は２つのフィールドメモリを備え、一方のフィールドメモリには、第１映像信号を書き込み、他方のフィールドメモリには、第２映像信号を書き込む。
【００１４】
次に、信号処理回路２３は、２つのフィールドメモリから映像信号を読み出す。このとき、メモリへの書き込みの際の２倍の速さ、つまり垂直同期周波数１２０Ｈｚで読み出し、表示パネル（例えば、液晶ディスプレイやプラズマディスプレイパネル）２４に時分割的に出力する。この結果、表示パネル２４の画面には、第１映像信号にかかる映像および第２映像信号にかかる映像が交互に垂直同期周波数１２０Ｈｚで表示される。つまり、第１映像信号、第２映像信号はそれぞれ６０Ｈｚで表示されることとなり、情報の欠損やちらつきを抑えることができる。信号処理回路２３は、読み出し時の周波数を上記のように２倍ではなく、４倍（４倍速駆動）などとしてもよい。このようなデコーダ２１，２２および信号処理回路２３は、映像入力手段に該当し、また、信号処理回路２３（および表示パネル２４）は、表示制御手段に該当する。
【００１５】
ＴＶ２０は、さらに赤外線信号発信部２５を備える。赤外線信号発信部２５は、例えば、第１映像信号の表示パネル２４への出力タイミングと同期したパルス（第１映像信号が表示パネル２４に表示されるタイミングでＯＮ、第２映像信号が表示パネル２４に表示されるタイミングでＯＦＦとなるパルス）信号（同期用赤外線信号）を生成し、ＴＶ２０の外部へ出力する。赤外線信号発信部２５は、例えば、表示パネル２４の上部に設けられ、表示パネル２４の前面側から外に向かって信号を発信する。さらに本実施形態では、デコーダ２１によって抽出された音声信号（第１映像信号に対応する音声信号）およびデコーダ２２によって抽出された音声信号（第２映像信号に対応する音声信号）は、有線（ケーブル）または無線によって、ＴＶ２０外部の眼鏡装置３０に送信されるものとする。
【００１６】
眼鏡装置３０においては、赤外線受信部３１によって同期用赤外線信号を受信し、この信号は、一方で映像切換部３２に出力されるとともに、他方で、インバータ３３で反転された上で映像切換部３２に出力される。眼鏡装置３０において、映像切換部３２よりも後段には、右目用シャッタ駆動部３４および左目用シャッタ駆動部３５が設けられている。右目用シャッタ駆動部３４は、眼鏡装置３０の右レンズ３８に設けられた右目用液晶シャッタ３６を駆動させるものであり、左目用シャッタ駆動部３５は、眼鏡装置３０の左レンズ３９に設けられた左目用液晶シャッタ３７を駆動させるものである。映像切換部３２は、入力したいずれのパルスを、右目用シャッタ駆動部３４および左目用シャッタ駆動部３５に出力するかを切換えるものであり、この切換えは、図示しないスイッチを眼鏡装置３０のユーザが操作することにより実現される。
【００１７】
つまり、映像切換部３２が、赤外線受信部３１からの出力側に切換えられた場合には、同期用赤外線信号のパルスと同じ極性のパルスが右目用シャッタ駆動部３４および左目用シャッタ駆動部３５に提供される。その結果、右目用シャッタ駆動部３４によって駆動される右目用液晶シャッタ３６および左目用シャッタ駆動部３５によって駆動される左目用液晶シャッタ３７は、第１映像信号が表示パネル２４に表示されるタイミングと同期して開くことになり、眼鏡装置３０を装着しているユーザは左右の目で第１映像信号の映像を見ることができる（第１視聴モード）。一方、映像切換部３２が、インバータ３３からの出力側に切換えられた場合には、同期用赤外線信号のパルスと逆極性のパルスが右目用シャッタ駆動部３４および左目用シャッタ駆動部３５に提供される。その結果、右目用液晶シャッタ３６および左目用液晶シャッタ３７は、第２映像信号が表示パネル２４に表示されるタイミングと同期して開くことになり、眼鏡装置３０を装着しているユーザは左右の目で第２映像信号の映像を見ることができる（第２視聴モード）。
【００１８】
眼鏡装置３０は、音声信号受信部４０、左右のヘッドホン４１，４２、音声切換部４３を備える。音声信号受信部４０は、第１映像信号に対応する音声信号（第１音声信号）および第２映像信号に対応する音声信号（第２音声信号）を、ＴＶ２０から有線または無線によって受信し、これら２系統の音声信号を音声切換部４３に出力する。音声切換部４３は、入力したいずれの音声信号を、右ヘッドホン４１および左ヘッドホン４２に出力するかを切換えるものであり、この切換えは、図示しないスイッチを眼鏡装置３０のユーザが操作することにより実現される。音声切換部４３の操作によって、ユーザは、第１音声信号を左右のヘッドホン４１，４２で聞くか、第２音声信号を左右のヘッドホン４１，４２で聞くかを選択できる。なお、映像切換部３２を操作するためのスイッチおよび音声切換部４３を操作するためのスイッチを共通化し、この一つのスイッチを操作することで、左右のレンズおよび左右のヘッドホンによる第１映像信号および第１音声信号の視聴と、左右のレンズおよび左右のヘッドホンによる第２映像信号および第２音声信号の視聴とを切換えるようにしてもよい。
【００１９】
赤外線信号発信部２５は、同期用赤外線信号の他にも、方向判定用赤外線信号を生成し、表示パネル２４の前面側から外に向かって随時発信している。眼鏡装置３０では、赤外線受信部３１によって方向判定用赤外線信号も受信する。なお、赤外線信号発信部２５が生成する同期用赤外線信号と方向判定用赤外線信号は、例えば周波数を全く異なるものとすることで、これら信号を眼鏡装置３０側で区別可能としている。
【００２０】
眼鏡装置３０は、方向判定制御部４４を備える。方向判定制御部４４は、方向判定手段およびシャッタ制御手段に該当する。方向判定制御部４４は、赤外線受信部３１によって受信された方向判定用赤外線信号を取得するとともに、当該眼鏡装置３０がＴＶ２０の表示パネル２４の画面の方に向いているか否かを所定の基準に従って判定する。具体的には、方向判定制御部４４は、方向判定用赤外線信号の信号強度が所定のしきい値を超える場合に、眼鏡装置３０が画面の方に向いていると判定し、方向判定用赤外線信号の信号強度が当該しきい値以下である場合に、眼鏡装置３０が画面の方に向いていないと判定する。なお眼鏡装置３０において、赤外線受信部３１は、眼鏡装置３０（眼鏡装置３０を装着したユーザ）が表示パネル２４の画面に正対している場合に、赤外線信号発信部２５と正対する向きに形成されている。
【００２１】
図２は、眼鏡装置３０の方向と、方向判定制御部４４が検知する方向判定用赤外線信号の信号強度との関係を例示している。図２における横軸は、表示パネル２４の正面に対する眼鏡装置３０の向く方向のずれ（正対は、ずれ０）であり、縦軸は信号強度である。
図３は、表示パネル２４の正面（赤外線信号発信部２５の正面）の位置であって表示パネル２４から一定距離離れた所定位置において眼鏡装置３０が取り得る方向の範囲（一部範囲）をユーザの上方から示している。図２では、当該所定位置においてこのように眼鏡装置３０が取る各方向での、方向判定制御部４４が検知する信号強度を示している。
【００２２】
図２，３から分かるように、上記所定位置における眼鏡装置３０は、表示パネル２４の画面に正対している場合に、上記検知される信号強度が最も強くなり、眼鏡装置３０が向く方向が画面からずれるほどに、上記検知される信号強度は低下する。従って、方向判定制御部４４は、便宜的に、方向判定用赤外線信号の信号強度が予め設定したしきい値を超える場合に眼鏡装置３０が画面の方に向いている（厳密に画面に正対していない場合も含む）と判定するのである。
【００２３】
方向判定制御部４４は、眼鏡装置３０がＴＶ２０の表示パネル２４の画面の方に向いていると判定した場合、映像切換部３２による切換えを許容する。つまり、上述したように、ユーザは映像切換部３２のスイッチを操作することにより、第１視聴モードと第２視聴モードをと任意に選択することができる。一方、方向判定制御部４４は、眼鏡装置３０がＴＶ２０の表示パネル２４の画面の方に向いていないと判定した場合、映像切換部３２による切換えを禁止するとともに、右目用液晶シャッタ３６および左目用液晶シャッタ３７を強制的に開けさせる。この場合、方向判定制御部４４は、右目用シャッタ駆動部３４および左目用シャッタ駆動部３５が、映像切換部３２から出力された上記パルスに基づいて右目用液晶シャッタ３６および左目用液晶シャッタ３７を駆動することを禁止するとともに、右目用シャッタ駆動部３４および左目用シャッタ駆動部３５を制御することにより、右目用液晶シャッタ３６および左目用液晶シャッタ３７を開状態にさせる。
【００２４】
このように本実施形態のシステム１０では、ＴＶ２０において、２種類の映像信号を画面に交互に表示する際に、各映像信号の垂直同期周波数の２倍のレートで映像信号を読み出して画面に交互に表示し、眼鏡装置３０においては、左右のレンズの液晶シャッタをいずれも第１映像信号の表示タイミングに同期して開閉する第１視聴モードと、左右のレンズの液晶シャッタをいずれも第２映像信号の表示タイミングに同期して開閉する第２視聴モードとを選択可能とした。つまり、眼鏡装置３０を装着したユーザは、ＴＶ２０の画面全体に表示されかつ情報の欠損やちらつきが抑えられた第１映像信号または第２映像信号を選択して、左右の目で視聴することができる。また、複数のユーザがそれぞれ眼鏡装置３０を装着することで、各ユーザは同じＴＶ２０の画面で別の映像を快適に視聴することができる。
【００２５】
またシステム１０では、眼鏡装置３０が、ＴＶ２０から発信される方向判定用の赤外線信号の信号強度を検知することで、自己がＴＶ２０の画面の方に向いているか否かを判定し、ＴＶ２０の画面の方に向いていないと判定した場合は、左右の液晶シャッタを強制的に開状態とするとした。そのため、眼鏡装置３０を装着しながらＴＶ２０の画面とは別の場所（例えば、ＴＶ２０の横に展示されている展示物）を向いているユーザは、液晶シャッタの開閉動作に煩わされることなく、ＴＶ２０の画面とは別の場所を快適に鑑賞することができる。また、ＴＶ２０の画面とは別の場所を見ていたユーザが、ＴＶ２０の画面を向いた場合には、第１視聴モードと第２視聴モードの切換えができるようになり、眼鏡装置３０を介して第１映像信号または第２映像信号を快適に視聴することができる。
【００２６】
上記ではＴＶ２０は、赤外線信号発信部２５によって同期用赤外線信号および方向判定用赤外線信号を発信するとしたが、同期用赤外線信号のみを発信するとし、眼鏡装置３０側では、同期用赤外線信号を、液晶シャッタの駆動に用いるとともに、その信号強度に基づいた上記判定に利用してもよい。また、方向判定制御部４４が検知する方向判定用赤外線信号（あるいは同期用赤外線信号）の信号強度は、眼鏡装置３０が向く方向がＴＶ２０の画面方向からずれている場合だけでなく、眼鏡装置３０がＴＶ２０から遠い位置にある場合にも低下する。しかし、眼鏡装置３０がＴＶ２０から遠い位置にある場合は、ユーザはＴＶ２０の画面にそれほど注目していない状態であると想定される。そのため、上記のように眼鏡装置３０が検知する方向判定用赤外線信号等の信号強度が弱い場合（しきい値以下の場合）に、映像切換部３２による切換えを禁止し、右目用液晶シャッタ３６および左目用液晶シャッタ３７を強制的に開けさせても、ユーザの不都合は少ない。
【符号の説明】
【００２７】
１０…テレビジョンシステム、２０…テレビジョン、２１，２２…デコーダ、２３…信号処理回路、２４…表示パネル、２５…赤外線信号発信部、３０…眼鏡装置、３１…赤外線受信部、３２…映像切換部、３４…右目用シャッタ駆動部、３５…左目用シャッタ駆動部、３６…右目用液晶シャッタ、３７…左目用液晶シャッタ、３８…右レンズ、３９…左レンズ、４０…音声信号受信部、４１…右ヘッドホン、４２…左ヘッドホン、４３…音声切換部、４４…方向判定制御部
【図１】
2010283653.tif 000003
【図２】
2010283653.tif 000004
【図３】
2010283653.tif 000005